(57)【要約】      （修正有）【課題】ニンニク球根等のマルチ栽培の植え付け孔を密閉して強風の侵入を防止するために、マルチフイルム上面に筋状の盛り土を形成する盛り土装置を提供する。【解決手段】自走車の前方に機枠を取り付け、機枠の前部には、進行方向に掻き揚げるように回転させることによって畝溝からの土を飛散させる放てき爪を配備した、左右一対の掻き揚げ手段を設けるとともに、掻き揚げ手段の直後に円筒状のブラシ体を横設した土寄せ装置を近接配備し、自走車は一つのエンジンを搭載して、掻き揚げ手段と土寄せ装置に動力分配し、ブラシ体は回転軸に対して線材を放射方向に植設し、あらかじめ球根植え付け孔の位置には短径の線材を配置させて切除部を形成し、ブラシ体はマルチフイルム上面に対して進行方向に掬い上げながら回転することによって畝の溝部から掻き上げられた飛散土を前記切除部に集約させて筋状の盛り土部を形成する。【選択図】図１
2018061500.tif 000002
【特許請求の範囲】
【請求項１】
自走車の前方に機枠を取り付け、この機枠の前部には畝溝からの土掻き揚げ手段を設けるとともに直後に円筒状のブラシ体を横設した土寄せ装置を装備し、前記ブラシ体は回転軸に対して線材を放射方向に植設し、あらかじめ球根植え付け孔の位置には短径の線材を配置させて切除部を形成し、前記ブラシ体はマルチフイルム上面に対して進行方向に掬い上げながら回転することによって前記土掻き揚げ手段によって掻き上げられた飛散土を前記切除部に集約させて複数列の筋状の盛り土部を形成することを特徴としたニンニク等マルチ栽培の筋状盛り土装置
【請求項２】
自走車は一つのエンジンを搭載して掻き揚げ手段と土寄せ装置に動力分配することを特徴とした請求項１記載のニンニク等マルチ栽培の筋状盛り土装置
【請求項３】
掻き揚げ手段の放てき爪は進行方向に掻き揚げるように回転することを特徴とした請求項２記載のニンニク等マルチ栽培の筋状盛り土装置
【発明の詳細な説明】
【技術分野】
【０００１】  本発明は広幅畝にマルチフイルムを被覆した後、ニンニク等の球根を植え付けて栽培する作業体系に関するもので、生育初期における被覆フイルムの剥離を防止するための盛り土装置にかかるものである。
【背景技術】
【０００２】マルチフイルムを施設した後、フイルムが風に剥離されたり、植え付け孔から風が侵入してフイルムがバタついて、吹きとばされることがあった。従来、マルチフイルムの風に対する剥離防止のための土盛り装置としては、例えば特許第３３８５６８９号公報に記載されるマルチフイルム敷設機の覆土装置が知られる。本公報には、「一定幅のマルチフイルムを繰り出しながら土壌面を前面に亘って被覆するマルチフイルム敷設機において、この往行程で被覆されるマルチフイルムの側端縁に沿って覆土する覆土器と、この覆土を該マルチフイルムの上面で中央寄りへ寄せる土寄せ器と、この土寄せ器によって寄せられた覆土を、復行程で被覆されるマルチフイルムの側端縁との重合部に戻して覆土する土戻し機とを設けてなる覆土装置の構成」（特許文献１）が開示されている。
又、特公平１−５９８５６号公報には「成形される複数の畝及び畝溝にマルチフイルムを施設し、揚土部によってホッパに揚上した揚土を、下部が互いに開かれた位置に配置されている複数の配土シュートによって畔溝付近のマルチフイルムに覆土するように構成した覆土装置において、上記配土シュートは装置機枠に対する左右方向取り付け位置並びに放出方向左右位置の夫々を、調節可能に構成したマルチフイルム施設装置における覆土装置」（特許文献２）が開示されている。
又、従来、ニンニク等のマルチ栽培は畝にマルチフイルムを被覆して、フイルムに穴を開けながら球根を植え付けし、その後にフイルムが風に飛ばされるのを防止するために溝部からフイルム上面に土を掻き上げて盛り土して錘の代わりにしていた。
【先行技術文献】
【特許文献】
【０００３】
【特許文献１】特許第３３８５６８９号公報
【特許文献２】特公平１−５９８５６号公報
【発明の概要】
【発明が解決しようとする課題】
【０００４】ニンニク等のマルチフイルム被覆による栽培は、日光の通過による地温保持効果と、雑草の抑制が期待されて行われる。そしてニンニク球根の場合は、広幅の畝に対して４列に７〜８センチの深さに植えつけし、この後に風による剥離防止のために、従来は人手により溝部から土を掻き上げてフイルム上面に飛散させて錘代わりにしていた。又、前記した公知の特許文献１及び特許文献２の土盛り装置では広幅の畝上面に土を全面に拡散したままになり飛散した掻き揚げ土自体が日光の通過を阻止してマルチ内部の地温保持効果が損なわれる問題があった。そこで本発明では植え付け孔の列のみを密閉して強風の侵入を防止しするとともに、地温保持と雑草抑制効果の減少を極力抑えて、植え付け孔の位置する部分のみに筋状の盛り土する装置を提供するものである。現状、篤農家は人力による箒や板ヘラで飛散土を集約して筋状の盛り土をしていたが本発明はこの人力による筋状盛り土作業を機械的軽作業に置き換えようとするものである。
【課題を解決するための手段】
【０００５】本発明は前記課題を解決するために、請求項１記載の自走車の前方に機枠を取り付け、この機枠の前部には畝溝からの土掻き揚げ手段を設けるとともに直後に円筒状のブラシ体を横設した土寄せ装置を装備し、前記ブラシ体は回転軸に対して線材を放射方向に植設し、あらかじめ球根植え付け孔の位置には短径の線材を配置させて切除部を形成し、前記ブラシ体はマルチフイルム上面に対して進行方向に掬い上げながら回転することによって前記土掻き揚げ手段によって掻き上げられた飛散土を前記切除部に集約させて筋状の盛り土部を形成することを特徴としたニンニク等マルチ栽培の筋状盛り土装置である。
また、請求項２記載の自走車は一つのエンジンを搭載して掻き揚げ手段と土寄せ装置に動力分配することを特徴としたニンニク等マルチ栽培の筋状盛り土装置である。
また請求項３記載の掻き揚げ手段の放てき爪は進行方向に掻き揚げるように回転することを特徴としたニンニク等マルチ栽培の筋状盛り土装置である。
【発明の効果】
【０００６】本発明の自走車の前方に畝溝からの土掻き揚げ手段を設けるとともに直後にブラシ体を横設した土寄せ装置を装備し、あらかじめ球根植え付け孔の位置には短径の線材を配置させて切除部を形成し、畝の溝部から掻き上げられた飛散土を前記切除部に集約させて筋状の盛り土部を形成したので、マルチフイルム上面の日光の通過による地温保持効果と、雑草の抑制効果を損なうことがない。又、自走車は一つのエンジンを搭載して掻き揚げ手段と土寄せ装置に動力分配する構成にして、機体全体が計量になったので自走車のオペレーターも軽快な作業になる。また掻き揚げ手段の放てき爪は進行方向に掻き揚げるように回転するので直後の土寄せのブラシ体を近接して配備できるので機体の長さはコンパクトになり旋回を小さくできる効果がある。
【図面の簡単な説明】
【０００７】
【図１】は本発明を実施した外観斜視図
【図２】は一部を省略した側面図
【図３】要部の説明図
【図４】筋状盛り土成形斜視図
【発明を実施するための形態】
【０００８】本発明の実施の形態は自走車の前方に機枠を取り付け、この機枠の前部には畝溝からの土掻き揚げ手段を設けるとともに直後に円筒状のブラシ体を横設した土寄せ装置を装備し、前記ブラシ体は回転軸に対して線材を放射方向に植設し、あらかじめ球根植え付け孔の位置には短径の線材を配置させて切除部を形成し、この円筒状のブラシ体はマルチフイルム上面に対して進行方向に掬い上げながら回転することによって畝の溝部から掻き上げられた飛散土を前記切除部に集約させて筋状の盛り土部を形成することを特徴としたニンニク等マルチ栽培の筋状盛り土装置である。また、自走車は一つのエンジンを搭載して掻き揚げ手段と土寄せ装置に動力分配することを特徴としたニンニク等マルチ栽培の筋状盛り土装置。
【実施例】
【０００９】本発明を実施した図面に基づいて構成を説明する。図１は本発明を実施した外観斜視図を示し、１は自走車で、エンジン１８と変速ボックス２５と駆動輪１６から構成されて１７のハンドルによって操作される。変速ボックス２５の前方には掻き揚げ手段３０と筋状土寄せ装置６を装備した機枠２が装備されている。機枠２は水平方向の主枠３と４の横枠と前端に縦枠５が連結されて構成される。１９は中間軸で前記横枠４の下部に平行に設けられ、前記変速ボックス２５から第１伝導帯１３を介して伝達される。前記中間軸１９の側端部から支持枠８の外側に設けた第２伝導帯１４を介してブラシ体９の回転軸１０を駆動する。横枠４の両サイドには平面コ字状の支持枠８が装備される。主枠３の下端には一対の補助ステイ２７が突設してカウンター軸２６が横設される。カウンター軸２６の両端部には畝溝から土を掻き揚げるための掻き揚げ手段３０が具備されている。掻き揚げ手段３０の２６は伝導ケースを示して下方に放てき爪２８を有する。両サイドに設けた放てき爪２８は畝溝から土をマルチフイルム上面に放てきする。２１はテンションレバーを示し、第１伝導帯１３の動力を切入りするものである。
縦枠５の下端には一対の支持輪７が設けられて適宜に畝との高さを調整する。土寄せ装置６のブラシ体９は回転軸１０に対して線材を放射方向に植設し、あらかじめ複数列の球根植え付け孔の位置には短径の線材を配置させて切除部３２を形成し、外観上は段付きの円筒状を形成する。３３は伸縮レバーを示し、図示してないが掻き揚げ手段３０の伝導ケース２６は非使用時にはリンク棒を介して折りたたむためのものである。
図２は一部を省略した側面図で、自走車１の前方に土寄せ装置３が装備される。主枠３の前部に中間軸１９が配置され、第１伝導帯１３からの動力伝達をテンション装置のレバー２１によって駆動が断続される。横枠４の下端には補助ステイ２７が設けられてカウンター軸２６を支承する。カウンター軸２６の両端には掻き揚げ手段３０が配備される。放てき爪２８は掬い上げる方向（ｆ）に回転して土を畝上面に放てき飛散させる。８は支持枠で下部にブラシ体９の回転軸１０を支承する。この円筒状のブラシ体９は畝上面３１に対して進行方向に掬い上げながら回転（Ｆ）することによって畝の溝部から掻き上げられた飛散土を前記切除部３２に寄せて集約させ筋状の盛り土部２４を形成するものである。支持枠８は先端が中間軸１９を支軸として揺動自在に支承されているので、ブラシ体９は畝の凹凸の際にも適宜に揺動してフイルム上面を滑らかに移動して傷つけることもない。
図３は土寄せ装置要部の斜視図を示す。９のブラシ体は円筒状の木製からなる基台１２に放射方向に線材１１を植設してなる。両端には回転軸１０が固着される。回転軸１０に対して線材１１を放射方向に植設しあらかじめ球根植え付け孔２９の位置には短径の線材を配置させて切除部３２を形成している。本実施例においては９のブラシ体はニンニクの植え付け列の４列に合わせて線材１１を短径にした切除部３２を形成している。３０は畝溝から土を掻き揚げるための掻き揚げ手段を示し左右一対配置されている。２６は伝導ケースで下方に放てき爪２８を有する。放てき爪２８は畝溝から土をマルチフイルム上面に放てきする。したがってブラシ体９はマルチフイルム上面に対して進行方向に掬い上げながら回転（Ｆ）することによって前記土掻き揚げ手段３０によって掻き上げられた飛散土を前記切除部３２に集約させて４列の筋状の盛り土部を形成する。
図４は本発明を実施した筋状盛り土成形斜視図を示し、２３はマルチフイルムで２９は植え付け穴である。広幅の畝に対してニンニク球根２２が植え付けられたマルチフイルム２３の植え付け孔２９の列に筋状の盛り土２４が形成された状態を示している。
【産業上の利用可能性】
【００１０】本発明を実施することにより、冬直前のニンニク植え付けの後の強風などが吹いても、植え付け孔に風が侵入することもなく、また強風によるフイルムがバタついて剥離することもない。また従前のマルチフイルム上面の日光の通過による地温保持効果と、雑草の抑制効果を損なうことがなく安定した生育がなされる。小規模のニンニク栽培農家に対しても計画的な経営ができる可能性がある。
【符号の説明】
【００１１】１は自走車
２は機枠
３は主枠
４は横枠
５は縦枠
６は土寄せ装置
７は支持輪
８は支持枠
９はブラシ体
１０は回転軸
１１は線材
１２は基台
１３は第１伝導帯
１４は第２伝導帯
１５は第３伝導帯
１６は駆動輪
１７はハンドル
１８はエンジン
１９は中間軸
２０はカウンター軸
２１はテンションレバー
２２はニンニク球根
２３はマルチフイルム
２４は筋状盛り土
２５は変速ボックス
２６は伝導ケース
２７は補助ステイ
２８は放てき爪
２９は植え付け穴
３０は掻き揚げ手段
３１は畝上面
３２は切除部
３３は伸縮レバー
【図１】
2018061500.tif 000003
【図２】
2018061500.tif 000004
【図３】
2018061500.tif 000005
【図４】
2018061500.tif 000006
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
＿自走車の前方に機枠を取り付け、該機枠の前部には、進行方向に掻き揚げるように回転させることによって畝溝からの土を飛散させる放てき爪を配備した、左右一対の掻き揚げ手段を設けるとともに、該掻き揚げ手段の直後に円筒状のブラシ体を横設した土寄せ装置を近接配備し、前記自走車は一つのエンジンを搭載して、前記掻き揚げ手段と前記土寄せ装置に動力分配し、前記ブラシ体は回転軸に対して線材を放射方向に植設し、あらかじめ球根植え付け孔の位置には短径の線材を配置させて切除部を形成し、前記ブラシ体はマルチフイルム上面に対して進行方向に掬い上げながら回転することによって、前記掻き揚げ手段によって掻き上げられた飛散土を前記切除部に集約させて複数列の筋状の盛り土部を形成することを特徴としたニンニク等マルチ栽培の筋状盛り土装置。
【手続補正２】
【補正対象書類名】明細書
【補正対象項目名】全文
【補正方法】変更
【補正の内容】
【発明の詳細な説明】
【技術分野】
【０００１】
本発明は広幅畝にマルチフイルムを被覆した後、ニンニク等の球根を植え付けて栽培する作業体系に関するもので、生育初期における被覆フイルムの剥離を防止するための盛り土装置にかかるものである。
【背景技術】
【０００２】
マルチフイルムを施設した後、フイルムが風に剥離されたり、植え付け孔から風が侵入してフイルムがバタついて、吹きとばされることがあった。従来、マルチフイルムの風に対する剥離防止のための土盛り装置としては、例えば特許第3385689号公報に記載されるマルチフイルム敷設機の覆土装置が知られる。本公報には、「一定幅のマルチフイルムを繰り出しながら土壌面を前面に亘って被覆するマルチフイルム敷設機において、この往行程で被覆されるマルチフイルムの側端縁に沿って覆土する覆土器と、この覆土を該マルチフイルムの上面で中央寄りへ寄せる土寄せ器と、この土寄せ器によって寄せられた覆土を、復行程で被覆されるマルチフイルムの側端縁との重合部に戻して覆土する土戻し機とを設けてなる覆土装置の構成」(特許文献1)が開示されている。
又、特公平１−５９８５６号公報には「成形される複数の畝及び畝溝にマルチフイルムを施設し、揚土部によってホッパに揚上した揚土を、下部が互いに開かれた位置に配置されている複数の配土シュートによって畔溝付近のマルチフイルムに覆土するように構成した覆土装置において、上記配土シュートは装置機枠に対する左右方向取り付け位置並びに放出方向左右位置の夫々を、調節可能に構成したマルチフイルム施設装置における覆土装置」(特許文献2)が開示されている。
又、従来、ニンニク等のマルチ栽培は畝にマルチフイルムを被覆して、フイルムに穴を開けながら球根を植え付けし、その後にフイルムが風に飛ばされるのを防止するために溝部からフイルム上面に土を掻き上げて盛り土して錘の代わりにしていた。
【先行技術文献】
【特許文献】
【０００３】
【特許文献１】特許第3385689号公報
【特許文献２】特公平１−５９８５６号公報
【発明の概要】
【発明が解決しようとする課題】
【０００４】
ニンニク等のマルチフイルム被覆による栽培は、日光の通過による地温保持効果と、雑草の抑制が期待されて行われる。そしてニンニク球根の場合は、広幅の畝に対して４列に7〜8センチの深さに植えつけし、この後に風による剥離防止のために、従来は人手により溝部から土を掻き上げてフイルム上面に飛散させて錘代わりにしていた。又、前記した公知の特許文献1及び特許文献2の土盛り装置では広幅の畝上面に土を全面に拡散したままになり飛散した掻き揚げ土自体が日光の通過を阻止してマルチ内部の地温保持効果が損なわれる問題があった。そこで本発明では植え付け孔の列のみを密閉して強風の侵入を防止しするとともに、地温保持と雑草抑制効果の減少を極力抑えて、植え付け孔の位置する部分のみに筋状の盛り土する装置を提供するものである。現状、篤農家は人力による箒や板ヘラで飛散土を集約して筋状の盛り土をしていたが本発明はこの人力による筋状盛り土作業を機械的軽作業に置き換えようとするものである。
【課題を解決するための手段】
【０００５】
＿本発明は前記課題を解決するために、自走車の前方に機枠を取り付け、この機枠の前部には、進行方向に掻き揚げるように回転させることによって畝溝からの土を飛散させる放てき爪を配備した、左右一対の掻き揚げ手段を設けるとともに、この掻き揚げ手段の直後に円筒状のブラシ体を横設した土寄せ装置を近接配備し、自走車は一つのエンジンを搭載して、前記掻き揚げ手段と前記土寄せ装置に動力分配し、前記ブラシ体は回転軸に対して線材を放射方向に植設し、あらかじめ球根植え付け孔の位置には短径の線材を配置させて切除部を形成し、前記ブラシ体はマルチフイルム上面に対して進行方向に掬い上げながら回転することによって、前記掻き揚げ手段によって掻き上げられた飛散土を前記切除部に集約させて筋状の盛り土部を形成することを特徴とする。
【発明の効果】
【０００６】
＿自走車の前方に畝溝からの土を飛散させる放てき爪を有する、左右一対の掻き揚げ手段を設けるとともに、この掻き揚げ手段の直後にブラシ体を横設した土寄せ装置を近接配備し、あらかじめ球根植え付け孔の位置には短径の線材を配置させて切除部を形成し、畝の溝部から掻き上げられた飛散土を前記切除部に集約させて筋状の盛り土部を形成したので、マルチフイルム上面の日光の通過による地温保持効果と、雑草の抑制効果を損なうことがない。又、自走車は一つのエンジンを搭載して掻き揚げ手段と土寄せ装置に動力分配する構成にして、機体全体が軽量になったので自走車のオペレーターも軽快な作業になる。また掻き揚げ手段の放てき爪は進行方向に掻き揚げるように回転することにより、この掻き揚げ手段の直後にブラシ体を横設した土寄せ装置を近接して配備できるので機体の長さはコンパクトになり旋回を小さくできる効果がある。
【図面の簡単な説明】
【０００７】
【図１】は本発明を実施した外観斜視図
【図２】は一部を省略した側面図
【図３】要部の説明図
【図４】筋状盛り土成形斜視図
【発明を実施するための形態】
【０００８】
＿本発明の実施の形態は、自走車の前方に機枠を取り付け、この機枠の前部には、進行方向に掻き揚げるように回転させることによって畝溝からの土を飛散させる放てき爪を配備した、左右一対の掻き揚げ手段を設けるとともに、この掻き揚げ手段の直後に円筒状のブラシ体を横設した土寄せ装置を近接配備し、自走車は一つのエンジンを搭載して、前記掻き揚げ手段と前記土寄せ装置に動力分配し、前記ブラシ体は回転軸に対して線材を放射方向に植設し、あらかじめ球根植え付け孔の位置には短径の線材を配置させて切除部を形成し、この円筒状のブラシ体はマルチフイルム上面に対して進行方向に掬い上げながら回転することによって畝の溝部から掻き上げられた飛散土を前記切除部に集約させて筋状の盛り土部を形成することを特徴としたニンニク等マルチ栽培の筋状盛り土装置である。
【実施例】
【０００９】
＿本発明を実施した図面に基づいて構成を説明する。図１は本発明を実施した外観斜視図を示し、１は自走車で、エンジン１８と変速ボックス２５と駆動輪１６から構成されて17のハンドルによって操作される。変速ボックス２５の前方には掻き揚げ手段３０と筋状に土寄せを行う土寄せ装置６を装備した機枠２が装備されている。機枠２は水平方向の主枠３と４の横枠と前端に縦枠5が連結されて構成される。１９は中間軸で前記横枠４の下部に平行に設けられ、前記変速ボックス25から第1伝導帯13を介して伝達される。前記中間軸１９の側端部から支持枠８の外側に設けた第2伝導帯１４を介してブラシ体９の回転軸１０を駆動する。横枠４の両サイドには平面コ字状の支持枠8が装備される。主枠３の下端には一対の補助ステイ27が突設してカウンター軸２０が横設される。カウンター軸２０の両端部には畝溝から土を掻き揚げるための掻き揚げ手段３０が具備されている。掻き揚げ手段30の26は伝導ケースを示して下方に放てき爪28を有する。両サイドに設けた放てき爪28は畝溝から土をマルチフイルム上面に放てきする。２１はテンションレバーを示し、第1伝導帯１３の動力を切入りするものである。
縦枠５の下端には一対の支持輪７が設けられて適宜に畝との高さを調整する。土寄せ装置６のブラシ体９は回転軸１０に対して線材を放射方向に植設し、あらかじめ複数列の球根植え付け孔の位置には短径の線材を配置させて切除部３２を形成し、外観上は段付きの円筒状を形成する。３３は伸縮レバーを示し、図示してないが掻き揚げ手段30の伝導ケース２６は非使用時にはリンク棒を介して折りたたむためのものである。
図２は一部を省略した側面図で、自走車１の前方に土寄せ装置６が装備される。主枠３の前部に中間軸１９が配置され、第1伝導帯１３からの動力伝達をテンションレバー21によって駆動が断続される。横枠4の下端には補助ステイ27が設けられてカウンター軸２０を支承する。カウンター軸２０の両端には掻き揚げ手段30が配備される。放てき爪28は掬い上げる方向(ｆ)に回転して土を畝上面に放てき飛散させる。8は支持枠で下部にブラシ体９の回転軸１０を支承する。この円筒状のブラシ体９は畝上面３１に対して進行方向に掬い上げながら回転(F)することによって畝の溝部から掻き上げられた飛散土を前記切除部３２に寄せて集約させ、筋状盛り土２４を形成するものである。支持枠8は先端が中間軸１９を支軸として揺動自在に支承されているので、ブラシ体９は畝の凹凸の際にも適宜に揺動してマルチフイルム上面を滑らかに移動して傷つけることもない。
＿図３は土寄せ装置要部の説明図を示す。９のブラシ体は円筒状の木製からなる基台12に放射方向に線材１１を植設してなる。両端には回転軸１０が固着される。回転軸１０に対して線材１１を放射方向に植設しあらかじめ球根植え付け穴２９の位置には短径の線材を配置させて切除部３２を形成している。本実施例においては9のブラシ体はニンニクの植え付け列の4列に合わせて線材１１を短径にした切除部３２を形成している。３０は畝溝から土を掻き揚げるための掻き揚げ手段を示し左右一対配置されている。26は伝導ケースで下方に放てき爪28を有する。放てき爪28は畝溝から土をマルチフイルム上面に放てきする。したがってブラシ体９はマルチフイルム上面に対して進行方向に掬い上げながら回転(F)することによって前記掻き揚げ手段３０によって掻き上げられた飛散土を前記切除部３２に集約させて４列の筋状の盛り土部を形成する。
図４は本発明を実施した筋状盛り土成形斜視図を示し、２３はマルチフイルムで２９は植え付け穴である。広幅の畝に対してニンニク球根２２が植え付けられたマルチフイルム２３の植え付け穴２９の列に筋状盛り土２４が形成された状態を示している。
【産業上の利用可能性】
【００１０】
本発明を実施することにより、冬直前のニンニク植え付けの後の強風などが吹いても、植え付け孔に風が侵入することもなく、また強風によるフイルムがバタついて剥離することもない。また従前のマルチフイルム上面の日光の通過による地温保持効果と、雑草の抑制効果を損なうことがなく安定した生育がなされる。小規模のニンニク栽培農家に対しても計画的な経営ができる効果がある。
【符号の説明】
【００１１】
１は自走車
２は機枠
３は主枠
４は横枠
５は縦枠
６は土寄せ装置
７は支持輪
８は支持枠
９はブラシ体
１０は回転軸
１１は線材
１２は基台
１３は第１伝導帯
１４は第２伝導帯
１５は第3伝導帯
１６は駆動輪
１７はハンドル
１８はエンジン
１９は中間軸
２０はカウンター軸
２１はテンションレバー
２２はニンニク球根
２３はマルチフイルム
２４は筋状盛り土
２５は変速ボックス
２６は伝導ケース
２７は補助ステイ
２８は放てき爪
２９は植え付け穴
３０は掻き揚げ手段
３１は畝上面
３２は切除部
３３は伸縮レバー
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
広幅の畝に隣接する左右の畝溝内を、該畝を跨いで走行可能な車幅の左右の駆動輪を備えた自走車の前方に機枠を取り付け、該機枠の前部には、進行方向に掻き揚げるように回転させることによって、前記左右の畝溝から前記広幅の畝のマルチフイルム上面に土を飛散させる放てき爪を配備した、左右一対の掻き揚げ手段を設けるとともに、該掻き揚げ手段の直後に円筒状のブラシ体を横設した土寄せ装置を近接配備し、前記自走車は一つのエンジンを搭載して、前記掻き揚げ手段と前記土寄せ装置に動力分配し、前記ブラシ体は回転軸に対して線材を放射方向に植設し、あらかじめ球根植え付け孔の位置には短径の線材を配置させて切除部を形成し、前記ブラシ体は前記マルチフイルム上面に対して進行方向に掬い上げながら回転することによって、前記掻き揚げ手段によって前記マルチフイルム上面に掻き上げられた飛散土を前記切除部に集約させて複数列の筋状の盛り土部を形成することを特徴としたニンニク等マルチ栽培の筋状盛り土装置。
【手続補正２】
【補正対象書類名】明細書
【補正対象項目名】０００５
【補正方法】変更
【補正の内容】
【０００５】
本発明は前記課題を解決するために、広幅の畝に隣接する左右の畝溝内を、該畝を跨いで走行可能な車幅の左右の駆動輪を備えた自走車の前方に機枠を取り付け、この機枠の前部には、進行方向に掻き揚げるように回転させることによって、前記左右の畝溝から前記広幅の畝のマルチフイルム上面に土を飛散させる放てき爪を配備した、左右一対の掻き揚げ手段を設けるとともに、この掻き揚げ手段の直後に円筒状のブラシ体を横設した土寄せ装置を近接配備し、前記自走車は一つのエンジンを搭載して、前記掻き揚げ手段と前記土寄せ装置に動力分配し、前記ブラシ体は回転軸に対して線材を放射方向に植設し、あらかじめ球根植え付け孔の位置には短径の線材を配置させて切除部を形成し、前記ブラシ体は前記マルチフイルム上面に対して進行方向に掬い上げながら回転することによって、前記掻き揚げ手段によって前記マルチフイルム上面に掻き上げられた飛散土を前記切除部に集約させて筋状の盛り土部を形成することを特徴とする。
【手続補正３】
【補正対象書類名】明細書
【補正対象項目名】０００６
【補正方法】変更
【補正の内容】
【０００６】
広幅の畝に隣接する左右の畝溝内を、該畝を跨いで走行可能な車幅の左右の駆動輪を備えた自走車の前方に、前記左右の畝溝から前記広幅の畝のマルチフイルム上面に土を飛散させる放てき爪を有する、左右一対の掻き揚げ手段を設けるとともに、この掻き揚げ手段の直後にブラシ体を横設した土寄せ装置を近接配備し、あらかじめ球根植え付け孔の位置には短径の線材を配置させて切除部を形成し、前記左右の畝溝から掻き上げられた飛散土を前記切除部に集約させて筋状の盛り土部を形成したので、マルチフイルム上面の日光の通過による地温保持効果と、雑草の抑制効果を損なうことがない。又、自走車は一つのエンジンを搭載して掻き揚げ手段と土寄せ装置に動力分配する構成にして、機体全体が軽量になったので自走車のオペレーターも軽快な作業になる。また掻き揚げ手段の放てき爪は進行方向に掻き揚げるように回転することにより、この掻き揚げ手段の直後にブラシ体を横設した土寄せ装置を近接して配備できるので機体の長さはコンパクトになり旋回を小さくできる効果がある。
【手続補正４】
【補正対象書類名】明細書
【補正対象項目名】０００８
【補正方法】変更
【補正の内容】
【０００８】
本発明の実施の形態は、広幅の畝に隣接する左右の畝溝内を、該畝を跨いで走行可能な車幅の左右の駆動輪を備えた自走車の前方に機枠を取り付け、この機枠の前部には、進行方向に掻き揚げるように回転させることによって、前記左右の畝溝から前記広幅の畝のマルチフイルム上面に土を飛散させる放てき爪を配備した、左右一対の掻き揚げ手段を設けるとともに、この掻き揚げ手段の直後に円筒状のブラシ体を横設した土寄せ装置を近接配備し、自走車は一つのエンジンを搭載して、前記掻き揚げ手段と前記土寄せ装置に動力分配し、前記ブラシ体は回転軸に対して線材を放射方向に植設し、あらかじめ球根植え付け孔の位置には短径の線材を配置させて切除部を形成し、この円筒状のブラシ体は前記マルチフイルム上面に対して進行方向に掬い上げながら回転することによって、前記左右の畝溝から掻き上げられた飛散土を前記切除部に集約させて筋状の盛り土部を形成することを特徴としたニンニク等マルチ栽培の筋状盛り土装置である。